(57)【要約】【課題】記憶媒体にコンテンツを書き込むに先立って、コンテンツ読出装置の記憶装置の使用可能な容量を把握し、ユーザがコンテンツ読出装置で読み出したいコンテンツを確実に読み出し可能とするコンテンツ読出装置およびコンテンツ書込装置を提供することを目的とする。【解決手段】コンテンツ書込装置によりコンテンツを書き込まれた記憶媒体からコンテンツを読み出して記憶部に書き込んだ後に、記憶部で使用可能な容量の情報を記憶媒体に書き込むように、コンテンツ読出装置を構成する。【選択図】図１
2009238059.tif 000002
【特許請求の範囲】
【請求項１】
コンテンツ書込装置によりコンテンツを書き込まれた記憶媒体からコンテンツを読み出して記憶部に書き込んだ後に、前記記憶部で使用可能な容量の情報を前記記憶媒体に書き込むことを特徴とする、コンテンツ読出装置。
【請求項２】
コンテンツ読出装置に接続された記憶部で使用可能な容量を前記コンテンツ読出装置により書き込まれた記憶媒体から読み出した前記使用可能な容量を超えないように、前記コンテンツ読出装置が前記記憶部に書き込むべきコンテンツを前記記憶媒体に書き込むことを特徴とする、コンテンツ書込装置。
【請求項３】
前記記憶媒体に書き込むコンテンツの容量が前記記憶媒体に書き込まれた前記使用可能な容量を超えるときに、ユーザに警告することを特徴とする、請求項１に記載のコンテンツ書込装置。
【発明の詳細な説明】
【技術分野】
【０００１】
本発明は、記憶媒体からコンテンツを読み出すコンテンツ読出装置および記憶媒体にコンテンツを書き込むコンテンツ書込装置に関する。
【背景技術】
【０００２】
自宅に設置したデスクトップ型パーソナルコンピュータなどのサーバ機器に保存した動画データや音声データといったコンテンツを携帯機器に転送して再生することが、一般に行われるようになってきている。サーバ機器から携帯機器へのコンテンツの転送は、サーバ機器がメモリカードや光ディスクなどの媒体にコンテンツを書き込み、その媒体を携帯機器で読み込むといった記憶媒体を介した方法や、サーバ機器と携帯機器を、ＵＳＢなどのインタフェースによって接続して通信する通信インタフェースを介した方法で行われる。
【０００３】
記憶媒体を介してコンテンツを転送する場合、サーバ機器は携帯機器の状況を知ることができない。そのため、携帯機器に転送するつもりでサーバ機器から記憶媒体に書き込んだコンテンツが、実際には携帯機器に転送されない場合が生じる。
【０００４】
特許文献１には、モバイルデータストアにサブスクリプションデータをロードする際に、モバイルデータストアの残りのデータ記憶容量と、サブスクリプションデータの量を推定し、サブスクリプションデータの量と残りのデータ記憶容量とを比較するデータ記憶システムが記載されている。
【０００５】
【特許文献１】特開２００５−３１０１２１号公報
【発明の開示】
【発明が解決しようとする課題】
【０００６】
特許文献１に記載のデータ記憶システムによると、コンテンツ書込装置が記憶媒体にコンテンツを書き込む場合、コンテンツ読出装置の使用可能な容量は推定されるに過ぎず、現実に使用可能な容量とは必ずしも一致しない。したがって、依然としてコンテンツ読出装置で読み出したいコンテンツを読み出すことができないという、ユーザの意図に反する現象が生じうる。
【０００７】
そこで、本発明は、記憶媒体にコンテンツを書き込むに先立って、コンテンツ読出装置の記憶装置の使用可能な容量を把握し、ユーザがコンテンツ読出装置で読み出したいコンテンツを確実に読み出し可能とするコンテンツ読出装置およびコンテンツ書込装置を提供することを目的とする。
【課題を解決するための手段】
【０００８】
本発明のコンテンツ読出装置は、コンテンツ書込装置によりコンテンツを書き込まれた記憶媒体からコンテンツを読み出して記憶部に書き込んだ後に、記憶部で使用可能な容量の情報を記憶媒体に書き込むことを特徴とする。
【０００９】
本発明のコンテンツ書込装置は、コンテンツ読出装置に接続された記憶部で使用可能な容量をコンテンツ読出装置により書き込まれた記憶媒体から読み出した使用可能な容量を超えないように、コンテンツ読出装置が記憶部に書き込むべきコンテンツを記憶媒体に書き込むことを特徴とする。
【発明の効果】
【００１０】
本発明によれば、記憶媒体にコンテンツを書き込むに先立って、コンテンツ読出装置の記憶装置の使用可能な容量を把握し、ユーザがコンテンツ読出装置で読み出したいコンテンツを確実に読み出し可能とするコンテンツ読出装置およびコンテンツ書込装置を提供することができる。
【発明を実施するための最良の形態】
【００１１】
以下、図面を参照して本発明を実施するための最良の形態について詳細に説明する。本実施形態では、コンテンツ書込装置がコンテンツを書き込んだ記憶媒体をコンテンツ読出装置で読み出すにあたり、コンテンツ読出装置の記憶部の使用可能な容量をコンテンツ書込装置で認識して、コンテンツ読出装置でのコンテンツ読み出し可否を判断するように構成している。
【００１２】
図１は、本実施形態のコンテンツ書込装置およびコンテンツ読出装置の概要を示す図である。図１を参照すると、本実施形態は、コンテンツ書込装置１００とコンテンツ読出装置２００によって構成され、コンテンツ書込装置１００とコンテンツ読出装置２００との間のコンテンツ受け渡しに記憶媒体３００が使用される。
【００１３】
コンテンツ書込装置１００は、コンテンツ記憶部１１０、記憶制御部１２０および媒体制御部１３０で構成される。コンテンツ書込装置１００は、具体的にはパーソナルコンピュータ、ハードディスクレコーダなどのコンテンツを他の情報処理装置に提供可能な情報処理装置が該当する。
【００１４】
コンテンツ記憶部１１０は、コンテンツを記憶する。具体的にはハードディスクドライブユニットなどの大容量記憶装置が該当する。本実施形態では、コンテンツ記憶部１１０は、コンテンツ書込装置１００に内蔵される構成をとっているが、ＵＳＢやネットワークといったインタフェースを介してコンテンツ書込装置に接続される構成をとってもよい。コンテンツ記憶部１１０に記憶されるコンテンツは、音楽・動画・静止画などのマルチメディア情報の他、テキストデータであってもよく、さらに、情報処理装置に所定の処理を実行させるための実行ファイルであってもよい。
【００１５】
記憶制御部１２０は、コンテンツ記憶部１１０を制御し、コンテンツの読み出しおよび書き込みを行う。媒体制御部１３０は、図示しない媒体読み出し・書き込み部を制御し、記憶媒体に対してデータの読み出しおよび書き込みを行う。記憶制御部１２０および媒体制御部１３０は、具体的には専用の集積回路や、所定のソフトウェアを実行するマイクロプロセッサにより構成可能である。
【００１６】
コンテンツ読出装置２００は、コンテンツ記憶部２１０、記憶制御部２２０および媒体制御部２３０で構成される。コンテンツ読出装置２００は、具体的にはパーソナルコンピュータ、携帯音楽プレーヤ、携帯動画プレーヤなど保存したコンテンツを再生可能な情報処理装置が該当する。
【００１７】
コンテンツ読出装置２００を構成するコンテンツ記憶部２１０、記憶制御部２２０および媒体制御部２３０は、コンテンツ書込装置１００を構成するコンテンツ記憶部１１０、記憶制御部１２０および媒体制御部１３０と同様に構成されるため、説明を省略する。
【００１８】
記憶媒体３００は、コンテンツ書込装置１００によってコンテンツを書き込まれ、コンテンツ読出装置２００によってコンテンツを読み出される。記憶媒体３００は、具体的にはメモリカード、光ディスクなどにより構成可能である。
【００１９】
記憶媒体３００は、コンテンツ記憶領域３１０と使用可能容量記憶領域３２０とを有する。コンテンツ記憶領域３１０にはコンテンツデータが読み書きされ、使用可能容量記憶領域３２０にはコンテンツ読出装置２００のコンテンツ記憶部２１０の使用可能容量情報が読み書きされる。コンテンツ記憶領域３１０と使用可能容量記憶領域３２０は、固定的な容量や領域を使用するように構成してもよく、変動可能に構成してもよい。
【００２０】
次に、図２を参照して、コンテンツ書込装置１００が記憶媒体３００にコンテンツを書き込むときの動作を説明する。図２を参照すると、媒体制御部１３０は、図示しない媒体読み出し・書き込み部にセットされた記憶媒体３００の情報を取得する（ステップＳ１１）。ここで取得する記憶媒体３００の情報は、例えば記憶可能な残り容量である。
【００２１】
次に、コンテンツ書込装置１００は、コンテンツの選択を行うかどうかを判断する（ステップＳ１２）。所定のアルゴリズムによって自動的に選択を行う場合、アルゴリズムが終了したときにはコンテンツ選択を行わないと判断でき、ユーザが選択を行う場合、選択終了を明示的にユーザに選択させたり、選択動作を所定時間行わないことなどを条件としたりすることで、選択を行わないことが判断できる。コンテンツの選択を行わないと判断されたときのステップＳ１９の処理については後述する。
【００２２】
ステップＳ１２で、コンテンツ選択を行うと判断されたとき、コンテンツ書込装置１００は、コンテンツ読出装置２００で読み出されるべきコンテンツを選択する（ステップＳ１３）。コンテンツの選択は、所定のアルゴリズムによって自動的に実行してもよいし、コンテンツ一覧を図示しない表示部に表示し、ユーザが図示しない入力部によって選択するようにしてもよい。
【００２３】
次に、媒体制御部１３０は、選択されたコンテンツの容量が媒体の残り容量を超えていないか判断する（ステップＳ１４）。選択されたコンテンツの容量が媒体の残り容量を超えていると判断されたときのステップＳ１８の処理については後述する。
【００２４】
ステップＳ１４で、選択されたコンテンツの容量が媒体の残り容量を超えていると判断されなかったとき、媒体制御部１３０は、記憶媒体３００の使用可能容量記憶領域３２０にコンテンツ読出装置２００のコンテンツ記憶部２１０の使用可能容量情報が記憶されているかを判断する（ステップＳ１５）。使用可能容量記憶領域３２０に使用可能容量情報が記憶されていなかった場合のステップＳ１７の処理については後述する。
【００２５】
ステップＳ１５で、使用可能容量記憶領域３２０に使用可能容量情報が記憶されていた場合、選択されたコンテンツの容量がコンテンツ読出装置２００のコンテンツ記憶部２１０の使用可能容量を超えていないか判断する（ステップＳ１６）。選択されたコンテンツの容量が使用可能容量を超えていると判断されたときのステップＳ１８の処理については後述する。
【００２６】
ステップＳ１６で、選択されたコンテンツの容量がコンテンツ読出装置２００のコンテンツ記憶部２１０の使用可能容量を超えていると判断されなかったとき、コンテンツ書込装置１００は、選択されているコンテンツを記録媒体に書き込むべきコンテンツとしてセットする（ステップＳ１７）。
【００２７】
ステップＳ１４で、選択されたコンテンツの容量が媒体の残り容量を超えていると判断されたとき、または、ステップＳ１６で、選択されたコンテンツの容量が使用可能容量を超えていると判断されたときは、コンテンツ書込装置１００は、ユーザに警告を出す（ステップＳ１８）。警告は、図示しない表示部に警告メッセージを表示したり、図示しない音声出力部で警告音を発したりすることによって出すことができる。この警告により、ユーザはコンテンツ読出装置２００で読み出されるべきコンテンツの選択を見直して、所望するコンテンツを選択することができる。
【００２８】
ステップＳ１２で、コンテンツの選択を行わないと判断されたときは、記憶制御部１２０は、記録媒体に書き込むべきコンテンツをコンテンツ記憶部１１０から読み出し、媒体制御部１３０は、読み出されたコンテンツを記録媒体３００のコンテンツ記憶領域３１０に書き込む。
【００２９】
続いて、図３を参照して、コンテンツ読出装置２００が記憶媒体３００からコンテンツを読み出すときの動作を説明する。図３を参照すると、媒体制御部２３０は、記録媒体３００のコンテンツ記憶領域３１０からコンテンツを読み出し、記憶制御部２２０は、読み出されたコンテンツをコンテンツ記憶部２１０に書き込む（ステップＳ２１）。
【００３０】
次に、記憶制御部２２０は、コンテンツ記憶部２１０の使用可能容量を調査する（ステップＳ２２）。続いて、媒体管理部２３０は、コンテンツ記憶部２１０の使用可能容量の情報を、記録媒体３００の使用可能容量記憶領域３２０に書き込む（ステップＳ２３）。
【００３１】
以上の動作により、コンテンツ読出装置２００のコンテンツ記憶部２１０の使用可能容量が、記憶媒体３００の使用可能容量記憶領域３２０に記憶されるため、新たにコンテンツ書込装置１００がコンテンツ読出装置２００に読み出されるべきコンテンツをかかる記憶媒体３００に書き込むときに、コンテンツ書込装置１００において、使用可能容量を超えないようなコンテンツ選択を行うことができる。
【図面の簡単な説明】
【００３２】
【図１】本実施形態のコンテンツ書込装置およびコンテンツ読出装置の構成の概要を示す図である。
【図２】本実施形態のコンテンツ書込装置が記憶媒体にコンテンツを書き込むときの動作を説明する図である。
【図３】本実施形態のコンテンツ読出装置が記憶媒体からコンテンツを読み出すときの動作を説明する図である。
【符号の説明】
【００３３】
１００  コンテンツ書込装置
１１０  コンテンツ記憶部
１２０  記憶制御部
１３０  媒体制御部
２００  コンテンツ読出装置
２１０  コンテンツ記憶部
２２０  記憶制御部
２３０  媒体制御部
３００  記憶媒体
３１０  コンテンツ記憶領域
３２０  使用可能容量記憶領域
【図１】
2009238059.tif 000003
【図２】
2009238059.tif 000004
【図３】
2009238059.tif 000005